(57)【要約】【課題】被搬送物が方向転換中に、被搬送物の偏荷重による回転や、周辺作業者による位置調整等で押しや引っ張りといった接触があっても、周回するベルトに捻りが発生せず、シーブから脱輪するなども生じることなく、また、被搬送物によるベルトの磨耗や削れが発生しにくくした移載装置を提供すること。【解決手段】第１の搬送方向から第２の搬送方向へ被搬送物を載せ換える移載装置であって、前記第２の搬送方向に周回する回転手段の上面に、前記搬送方向と交叉する方向に回転軸をもつ複数の回転体を備えたユニットを単数または複数並列配置して構成し、前記被搬送物を載せ換えるときに、上昇して前記複数の回転体の上面を被搬送物の搬送路としたことを特徴とする。【選択図】図１Ａ
2017030949.tif 000002
【特許請求の範囲】
【請求項１】
第１の搬送方向から第２の搬送方向へ被搬送物を載せ換える移載装置であって、
前記第２の搬送方向に周回する回転手段の上面に、前記搬送方向と交叉する方向に回転軸をもつ複数の回転体を備えたユニットを単数または複数並列配置して構成し、
前記被搬送物を載せ換えるときに、上昇して前記複数の回転体の上面を被搬送物の搬送路としたことを特徴とする移載装置。
【請求項２】
前記回転手段は周回するベルトであることを特徴とする請求項１に記載の移載装置。
【請求項３】
前記複数の回転体の下側が前記ベルトの上面に接して配置され、前記ベルトが周回することで前記複数の回転体に回転を与えることを特徴とする請求項２に記載の移載装置。
【請求項４】
前記回転体は、外周面をゴムまたはウレタン等の樹脂を用いたホイールで構成したことを特徴とする請求項１乃至３のうちいずれか１項に記載の移載装置。
【請求項５】
第１の搬送方向から第２の搬送方向へ被搬送物を載せ換える移載装置であって、
前記移載装置は、上部機構と下部機構を備え、
前記下部機構に対し昇降可能に結合された前記上部機構に、前記第２の搬送方向に周回する回転手段と、前記搬送方向と交叉する方向に回転軸をもつ複数の回転体を備えたユニットを単数または複数並列して設け、
前記被搬送物を載せ換えるときに、前記上部機構が上昇して前記複数の回転体の上面を被搬送物の搬送路となることを特徴とする移載装置。
【請求項６】
前記回転手段はタイミングベルトまたは平ベルト等のベルト状のものであり、
前記複数の回転体の下側が前記回転手段の上面に接して配置され、前記回転手段が周回することで前記複数の回転体に回転を与えることを特徴とする請求項５に記載の移載装置。
【請求項７】
前記回転体は、外周面をゴムまたはウレタン等の樹脂を用いたホイールで構成したことを特徴とする請求項５または６に記載の移載装置。
【請求項８】
第１の搬送方向と第２の搬送方向との間で被搬送物を載せ換える移載装置であって、
前記第１または第２の搬送方向に周回する回転手段の上面に、前記搬送方向と交叉する方向に回転軸をもつ複数の回転体を備えたユニットを単数または複数並列配置して構成し、
前記被搬送物を載せ換えるときに、上昇または下降して前記複数の回転体の上面を被搬送物の搬送路としたことを特徴とする移載装置。
【請求項９】
第１の搬送方向と第２の搬送方向との間で被搬送物を載せ換える移載装置であって、
前記第１の搬送方向に周回する回転手段の上面に、前記搬送方向と交叉する方向に回転軸をもつ複数の回転体を備えたユニットを単数または複数並列配置して構成し、
前記被搬送物を前記第１の搬送方向から前記第２の搬送方向に載せ換えるときに前記複数の回転体の上面を下降させることを特徴とする移載装置。
【請求項１０】
前記第１の搬送方向から第２の搬送方向に被搬送物を載せ換え、前記第２の搬送方向に挿入あるいは合流することを特徴とする請求項９に記載の移載装置。
【発明の詳細な説明】
【技術分野】
【０００１】
本発明は、物品等の被搬送物を搬送する搬送システムに係り、その搬送システムのコンベアライン等の搬送ラインの方向を転換する移載装置に関するものである。
【背景技術】
【０００２】
被搬送物を一方の搬送ラインから他方の搬送ラインに載せ換えるために、搬送ライン上に方向を転換する移載装置が設けられている。
【０００３】
かかる移載装置として、搬送されて来る被搬送物を進行方向からその直交方向又は斜交方向へ方向転換するために、移載装置の昇降機構を上昇させて当該被搬送物を移動するものが知られている。
【０００４】
この方向転換のための移送機構としては、例えば、特許文献１あるいは特許文献２に見られるように、被搬送物を移送する部分に環状ベルトを備え、このベルトが周回することで被搬送物を移動させている。
【０００５】
かかる被搬送物の搬送方向を転換するための移載装置の一例を、図３乃至図５Ａおよび図５Ｂにて説明する。図３において、搬送ライン１と搬送ライン３とのライン間に、被搬送物を載せ換える移載装置２が搬送ライン１に組み込まれている。第１の搬送方向、即ち進行方向にある搬送ライン１には、搬送方向に複数のキャリアローラ１１が並列して取り付けられている。キャリアローラ１１相互間に連結ベルト１２が接続されており、図示しない駆動モータによりキャリアローラ１１に回転力が与えられ順次相互に回転する。このキャリアローラ１１の上を被搬送物が移動していく。この搬送ライン１中で移載装置２がある部分に並設されたキャリアローラ１１は、第１の搬送方向へ搬送するものである。この移載装置２の上部に当たるキャリアローラ１１については、その一部が、説明上省略されている。また、移載装置２には所定数のホイール２１とそのホイール２１の要所個所にベルト２２が取り付けられたベルトユニットが複数、キャリアローラ１１間に並設されている。
【０００６】
この各ベルトユニット２２が図示しない駆動モータにより回転駆動され、ベルト２２が、進行方向と直交する方向（または斜交方向）の搬送ライン３へ、被搬送物を誘導する。この搬送ライン３には搬送ライン１と同様にキャリアローラ３１が複数並置され、そのキャリアローラ３１間を相互に連結ベルト３２で連結されている。被搬送物は、この搬送ライン３上を移動していくことになる。
【０００７】
この移載装置は、図４Ａに示す下部機構３０と、図４Ｂに示す上部機構２３からなる。図４Ａにおいて、下部機構３０は、搬送フレームに取り付けられている。この下部機構３０には、上部機構２３を昇降させる昇降用の偏心カム２９が回転軸２９１に取り付けられている。この昇降用の偏心カム２９は、回転軸２９１に連結ベルト２８１を介して連結された駆動モータ２８により回転させられる。
【０００８】
また、上部機構２３には、図４Ｂに示すように、所定数のホイール２１とそのホイール２１の要所個所にベルト２２が取り付けられたベルトユニットが複数並置されている。モータ２４１（図５Ａ及び図５Ｂに示す）より回転されるローラ２３１がこのベルトユニットに回転動作をあえる。ベルトユニットの回転による搬送方向は第１の搬送方向と交叉する方向となる。
【０００９】
また、下部機構３０の偏心カム２９に対向した個所に、カムフォロア２３２が取り付けられている。図４Ａ、図４Ｂに矢線Ａにて示すように下部機構３０と上部機構２３は各回転体２６と各ガイドレール２５とが係合することにより昇降可能に結合される。即ち両図示中のＡ１がＢ１に、Ａ２がＢ２に結合することで、偏心カム２９がカムフォロア２３３に対向し組み合って昇降可能となる。なお、この上部機構２３と下部機構３０との結合構成については、本出願人は先に特願２０１４−２５５１３７として提案しているものである。
【００１０】
図４Ｂの矢線Ｂ方向から見た図５Ａに図示のように、上部機構２３が下降している状態では、移載ベルト２２の搬送面となる上面の高さｌ１は、搬送ラインのキャリアローラの上面よりも低い位置にある。従って、搬送ラインに被搬送物が移動してきても、この移載装置により方向転換はされない。
【００１１】
図５Ｂに図示のように、上部機構２３が上昇している状態では、移載ベルト２２の搬送面となる上面の高さｌ２は、この移載機構が組み込まれる搬送ラインのホイールの上面よりも高い位置となる。従って、搬送ライン上を被搬送物が移動してこの移載装置の上にくると、上部機構２３が上昇し移載ベルト２２の上面が搬送面となり、当該被搬送物は方向転換されることになる。
【先行技術文献】
【特許文献】
【００１２】
【特許文献１】特開２０１４−１５２０２５号公報
【特許文献２】特開２０１１−６１６６号公報
【発明の概要】
【発明が解決しようとする課題】
【００１３】
従来知られている、搬送方向を転換する機構としては昇降可能な周回するベルトを備え、このベルト上面、即ち搬送面に被搬送物が載ることによって移送させている。この搬送面に使用されるベルトは、Ｖベルトやタイミングベルト、丸ベルトあるいはチェーン等が使用されるが、これらベルトを案内、支持するシーブやスプロケット（背景説明ではホイールと説明）の大きさは、使用されるベルトやチェーン等の強度や断面形状の最小屈曲径に依存することになる。従って、周回するベルトの曲げがある両端に配置されるシーブやスプロケット等が大きなものとなると、隣接する搬送ライン（装置）とのギャップが大きくなり、スムーズな乗り移りが難しくなる。
【００１４】
このギャップを小さくし乗り移りをスムーズにするため、ベルト搬送として、最小屈曲径が小さくできるベルトを採用しているが、最小屈曲径の小さいベルトは、ベルト自体の厚みが薄くなり、またはベルトの外径が細くなる傾向がある。
【００１５】
従って、被搬送物が方向転換中に、被搬送物の偏荷重による回転や、周辺作業者による位置調整等で押しや引っ張りといった接触による、ベルトに捻りが発生し、ベルトはシーブから脱輪するなどの問題がある。
【００１６】
また、搬送面がベルトの表面となるので、被搬送物によるベルトの磨耗や削れが発生しやすく、耐久性に問題がある。
【００１７】
かかる従来の問題点を解決するために、本発明は、搬送ライン間の移載をスムーズにでき、ベルトに捻りやシーブ等からの脱輪もなく、ベルトの耐久性を改善した移載装置を提供することを目的とする。
【課題を解決するための手段】
【００１８】
かかる目的を達成するために、本発明は、第１の搬送方向から第２の搬送方向へ被搬送物を載せ換える移載装置であって、前記第２の搬送方向に周回する回転手段の上面に、前記搬送方向と直交する方向または略直交を含め斜交する方向（以下、これらを含め、単に交叉する方向という）に回転軸をもつ複数の回転体を備えたユニットを単数または複数並列配置して構成し、前記被搬送物を載せ換えるときに、上昇して前記複数の回転体の上面を被搬送物の搬送路としたことを特徴とする移載装置を提供するものである。
【００１９】
本発明によれば、周回する回転手段の上面に、複数の回転体を配列し、その上を被搬送物が移送されるので回転手段自体を損傷させることがなく、耐久性も持続できる。また、本発明は、前記回転手段は周回するベルトであることを特徴とするものであり、また、前記複数の回転体の下側が前記ベルトの上面に接して配置され、前記ベルトが周回することで前記複数の回転体に回転を与えることを特徴とする。
【００２０】
本発明によれば、前記被搬送物を載せ換えるときに、上昇して前記複数の回転体の上面を被搬送物の搬被搬送物が直接周回するベルトに接触することがなくなり、ベルトのズレやベルトの脱落をなくし、また摩耗を少なくでき、ベルトの耐久性が改善される。
【００２１】
また、本発明は、前記回転体として、外周面をゴムまたはウレタン等の樹脂を用いたホイールで構成したことを特徴とする。
【００２２】
本発明によれば、ベルトのズレやベルトの脱落をなくし、また摩耗を少なくでき、ベルトの耐久性が改善されるとともに、搬送ラインに組み込むに際しても、周回するベルトの厚さを薄くでき搬送ラインとの段差も小さくできる。
【００２３】
また、本発明は、第１の搬送方向から第２の搬送方向へ被搬送物を載せ換える移載装置であって、前記移載装置は、上部機構と下部機構を備え、前記下部機構に対し昇降可能に結合された前記上部機構に、前記第２の搬送方向に周回する回転手段と、前記搬送方向と交叉する方向に回転軸をもつ複数の回転体を備えたユニットを単数または複数並列して設け、前記被搬送物を載せ換えるときに、前記上部機構が上昇して前記複数の回転体の上面を被搬送物の搬送路となることを特徴とする移載装置を提供するものである。
【００２４】
本発明によれば、周回する回転手段の上面に、複数の回転体を配列し、その上を被搬送物が移送されるので回転手段自体を損傷させることがなく、耐久性も持続できる。
【００２５】
また、本発明は、第１の搬送方向と第２の搬送方向との間で被搬送物を載せ換える移載装置であって、前記第１または第２の搬送方向に周回する回転手段の上面に、前記搬送方向と交叉する方向に回転軸をもつ複数の回転体を備えたユニットを単数または複数並列配置して構成し、前記被搬送物を載せ換えるときに、上昇または下降して前記複数の回転体の上面を被搬送物の搬送路としたことを特徴とする移載装置を提供するものである。
【００２６】
本発明によれば、被搬送物の搬送方向を分岐または合流する移載装置として使用できる。
【００２７】
また、本発明は、第１の搬送方向と第２の搬送方向との間で被搬送物を載せ換える移載装置であって、前記第２の搬送方向に周回する回転手段の上面に、前記搬送方向と交叉する方向に回転軸をもつ複数の回転体を備えたユニットを単数または複数並列配置して構成し、前記被搬送物を前記第２の搬送方向から前記第１の搬送方向に載せ換えるときに、前記第２の搬送方向にて移動中にあるときは上昇位置にて前記複数の回転体の上面を被搬送物の搬送路とし、前記第１の搬送方向に転換する際には下降することを特徴とする移載装置を提供するものである。
【００２８】
本発明による移載装置は、第１の搬送方向と第２の搬送方向のいずれの方向であっても可逆的に適用できる。従って、被搬送物を他の搬送方向に挿入あるいは合流させることができる。
【発明の効果】
【００２９】
本発明の移載装置によれば、搬送方向に周回する回転手段の上面に、前記搬送方向と交叉する方向に回転軸をもつ複数の回転体を備えたユニットを複数並列配置して構成するので、前記被搬送物を載せ換えるときに、上昇して前記複数の回転体の上面を被搬送物が搬送され、搬被搬送物が周回するベルトに直接接触することがなくなり、ベルトのズレやベルトの脱落をなくし、また摩耗を少なくでき、ベルトの耐久性が改善される。また、搬送ラインに組み込むに際しても、周回するベルトの厚さを薄くでき搬送ラインとの段差も小さくできる。
【図面の簡単な説明】
【００３０】
【図１Ａ】本発明の一実施形態に係る移載装置の搬送方向に対して側面側から見た図であり、上部機構が下降位置にある状態を示す図である。
【図１Ｂ】本発明の一実施形態に係る移載装置の搬送方向に対して側面側から見た図であり、上部機構が上昇位置にある状態を示す図である。
【図１Ｃ】本発明の一実施形態に係る移載装置の搬送方向に対して側面側から見た図であり、上部機構の搬送方向から見て、一部を省略して示す図である。
【図２】本発明の一実施形態に係る移載装置の一部破断して示す全体斜視図であり、一部を省略して示す図である。
【図３】本発明の背景を説明する図であり、移載装置を搬送ラインに組み込んだ全体斜視図である。
【図４Ａ】本発明の背景を説明する図であり、移載装置の下部機構と上部機構を分離した全体斜視図を示し、特に搬送路を含む下部機構を示す。
【図４Ｂ】本発明の背景を説明する図であり、移載装置の下部機構と上部機構を分離した全体斜視図を示し、特に上部機構を示す。
【図５Ａ】本発明の背景を説明する図であり、移載装置の搬送方向に対して側面側から見た、上部機構が下降位置にある状態を示す図である。
【図５Ｂ】本発明の背景を説明する図であり、移載装置の搬送方向に対して側面側から見た、上部機構が上昇位置にある状態を示す図である。
【発明を実施するための形態】
【００３１】
以下、図面を参照して本発明を実施するための形態について説明する。
【００３２】
図１Ａ乃至Ｃは、本発明の一実施形態に係る移載装置を説明する図であり、図１Ａ及び図１Ｂは、移載装置の搬送方向に対し側面から見た断面図を示し、それぞれ上部機構が下降した状態と上昇した状態を示している。また、図１Ｃは、図１Ａの矢印Ｃ方向、即ち搬送方向から見た上部機構の断面図であり、一部を省略して示している。ここで図１Ａ及び図１Ｂは、先に背景として説明した図５Ａ及び図５Ｂに対応するものである。
【００３３】
図１Ａにおいて、搬送装置の下部機構３００には、上部機構２３０を昇降させるための偏心カム２９０が駆動モータ２９２に連結ベルト２９１を介して接続され、また、中央部分には上部機構と係合して摺動する回転体（ホイール）２６０を備えている。
【００３４】
また、上部機構２３０には、下部機構３００の偏心カム２９０に対向する位置にカムフォロア２３９を備えるとともに、中央部分に回転体２６０と係合して上下方向にガイドするガイドレール２５０を備えてなる。これら偏心カム２９０とカムフォロア２３９、回転体２６０とガイドレール２５０はそれぞれ対となり、図示例では、左右とその奥行（図示省略）に合せて各４か所に設けられている。
【００３５】
また、上部機構２３０の被搬送物を搬送するための搬送路は、周回するベルト２２０を上下で保持・規制する回転体（ホイール等）２１０、２１１が所定位置に配置されるとともに、ベルト２２０を周回駆動するためのモータ２４２に連結ベルトで連結されたローラ２３２を備えている。このローラ２３２の回転がベルト２２０に伝達される。また、このベルト２２０に加わる回転力を適切に伝達可能とするために両サイドに回転体２１２を備えている。
【００３６】
さらに、本発明は、周回するベルトの摩耗や、位置ずれ等を防ぐために、周回するベルト２２０の上面側に当該ベルトに接触して回転する回転体２７０を複数、所定位置に備えている。被搬送物は、この回転体２２０の上面に載り回転体２２０の回転により搬送されることになる。
【００３７】
図１Ａに図示するように、上部機構２３０が下降している状態では、移載用の回転体２７０の搬送面となる上面の高さｌ１０は、この移載装置が組み込まれる搬送ラインの搬送用ホイールの上面よりも低い位置にある。従って、搬送ラインに被搬送物が移動してきても、この移載装置により方向転換はされない。
【００３８】
図１Ｂに図示するように、上部機構２３０が上昇している状態では、移載用の回転体２７０の搬送面となる上面の高さｌ２０は、この移載装置が組み込まれる搬送ラインの搬送用ホイールの上面よりも高い位置となる。従って、搬送ラインに被搬送物が移動してきて、この移載装置の上にくると移載用の回転体２７０の上面が搬送面となり、当該被搬送物は方向転換されることになる。
【００３９】
これら移載用の回転体２７０と、ベルトを保持、規制する回転体２１０、２１１及び２１２との関係を図１Ｃにより説明する。図１Ｃは、搬送路側から見た図であり、方向変換用の搬送路を形成するユニット体として、左右にそれぞれ１つを図示し他を省略しているが、これらユニットが所定数、設けられてなる。各回転体を保持する保持板２３５に上方の搬送用の回転体２７０が取付けられ、この回転体２７０に回転を与える周回するベルトを挟んで回転体２１０が取付けられている。その下部にベルト下側から支える回転体２１１とベルトの引張力を調整する回転体２１２が取付けられている。
【００４０】
図２は、本発明の一実施形態に係る移載装置の一部破断して示す全体斜視図であり、また、一部内部を省略して示すものである。図では、本発明の搬送装置２００が搬送ラインに組み込まれ、搬送ライン３へ方向転換する例を示している。
【００４１】
上記実施態様では、被搬送物を第１の搬送方向から第２の搬送方向に分岐する例をもとに説明したが、本発明は、第２の搬送方向の向きを反転させ被搬送物を第１の搬送方向に挿入あるいは合流する装置としても使用できることは言うまでもない。即ち、第１の搬送方向と第２の搬送方向とを読み変えても同じことであり、本発明で設けた複数の回転体を搬送路に対して上昇さることで被搬送物を載せ換えるか、あるいは上昇動作の状態から下降させることで被搬送物を載せ換えるのかの違いである。本発明は何れの方向にたいしても搬送方向を変換する箇所に適用可能としたものである。
【００４２】
また、図1および図２では、共に搬送路を形成するユニット体を複数備えた例で説明したが、適宜、回転体として幅広のもの等を用い、ユニット体として一つ設けたものであってもよい。
【００４３】
斯うして、被搬送物が直接周回するベルトに接触することがなくなり、ベルトのズレやベルトを保持し案内する回転体、例えばシーブからの脱落することなく、また摩耗を少なくでき、ベルトの耐久性が改善される。また、従来に比べベルト自体の厚みを薄いものとでき、またベルトの外径を細くできる。従って、搬送ラインに組み込むに際しても、搬送ラインとの段差も小さくできその調整等も容易となる。
【００４４】
例えば、搬送面となる回転体２７０に回転を与える周回するベルト２２０として、タイミングベルトや平ベルトなどの最小屈曲径が５０ｍｍ未満となる厚みの薄いベルトも利用可能とできる。また、上記例では、回転体２７０としてホイールを例にしているが、外周面をゴムやウレタンなどの樹脂を用いたホイール等を密に配置することでもよい。
【００４５】
以上説明した各実施形態は、本発明の理解のために例示されたものであり、本発明は、これら実施形態に限定されず、特許請求の範囲の記載によって定義される。また、本発明の技術思想から離れるものでない限り、特許請求の範囲に記載の構成と均等であるものも本発明の保護の範囲に含まれるものである。
【産業上の利用可能性】
【００４６】
本発明の移載装置によれば、搬送方向に周回する回転手段の上面に、複数の回転体を備えたユニットを複数並列配置して構成するので、複数の回転体の上面を被搬送物が搬送され、周回するベルトに直接接触することがなくなり、ベルトのズレやベルトの脱落をなくし、また摩耗を少なくでき、ベルトの耐久性が改善されるので、物流センターにおける物品搬送や工場における部品搬送等、搬送ラインの構築に利用可能性が大きい。
【符号の説明】
【００４７】
１，３…搬送ライン
１１，３１…キャリアローラ
２…移載装置
２００…移載装置
２１０…回転体
２１１…回転体
２１２…回転体
２２０…ベルト
２３０…上部機構
２３４…カムフォロア
２７０…搬送用の回転体
２９０…偏心カム
３００…下部機構
【図１Ａ】
2017030949.tif 000003
【図１Ｂ】
2017030949.tif 000004
【図１Ｃ】
2017030949.tif 000005
【図２】
2017030949.tif 000006
【図３】
2017030949.tif 000007
【図４Ａ】
2017030949.tif 000008
【図４Ｂ】
2017030949.tif 000009
【図５Ａ】
2017030949.tif 000010
【図５Ｂ】
2017030949.tif 000011